(57)【要約】【課題】  本発明は、使用するＬＥＤ光源の数が少なく、点光源を用いても光源が直接見えることが無く耐グレア性に優れ、照明器具の発光面の明るさのばらつきが少ない室内用間接照明装置を得ることである。【解決手段】  ＬＥＤ光源から導光棒の端面に入射した光を、略直方体形状の枠体の枠体側面の短辺方向の側端部に、前記枠体の一方の長辺内側面沿って、前記枠体長辺内側面に平行に配置された導光棒の、枠体側面と対向する光取り出し面から光を取り出して、取り出した光を、前記枠体上面から前記枠体下面に向けて短辺方向に折り曲げて形成されたマイクロ発泡樹脂シートからなる反射板に反射させて、その反射光を光拡散板から取り出す間接照明装置である。【選択図】図１
2017016855.tif 000002
【特許請求の範囲】
【請求項１】
ＬＥＤ光源と、  長辺と短辺からなる上面および下面と、前記上面および前記下面を接続する側面と、を具備する略直方体の枠体と、  前記枠体の内部に配置される矩形断面を有する導光棒と、  マイクロ発泡樹脂製の反射板と、  光透過性の光拡散板と、を備える間接照明装置において、  前記枠体は、前記下面と、短辺側の少なくとも一方の前記側面の側端部近傍とに開口部を有し、  前記導光棒は、前記枠体の一方の長辺側の内側面に沿って、前記枠体の長辺側の内側面に平行に、前記導光棒の端部が短辺側側面の前記開口部に対向するよう配置され、  長方形状の前記反射板は、長辺方向には直線状で、前記導光棒の上面を覆い、短辺方向に前記枠体の前記上面から前記枠体の前記下面に向けて折り曲げて形成されたもので、  前記光拡散板は前記枠体の前記下面の前記開口部に設けられ、  前記ＬＥＤ光源が、前記枠体の前記側面の側端部の前記開口部の外側に設けられ、  前記枠体の前記側面の側端部近傍の前記開口部において前記ＬＥＤ光源と前記導光棒の端面が光接続されることを特徴とする間接照明装置。
【請求項２】
前記導光棒の、前記枠体の長辺側側面との対向面は、光を取り出すために粗面化されているか、あるいはプリズム状の微細突起構造が形成されていることを特徴とする請求項１に記載の間接照明装置。
【請求項３】
前記反射板の一方の長辺側端部近傍を前記枠体の前記上面に接触させ、前記反射板の長辺側の他方の端部が前記枠体の前記下面に接するように折り曲げて形成されていることを特徴する請求項１または請求項２に記載の間接照明装置。
【請求項４】
前記反射板とは別の反射板が、少なくとも、前記枠体の長辺側の内側面と前記枠体の前記下面と、前記導光棒の側面と下面とに接するように設けられることを特徴とする請求項１から請求項３のいずれかに記載の間接照明装置。
【請求項５】
前記導光棒の断面形状は、前記導光棒の断面下側の辺が前記導光棒の断面上側の辺より長い台形状で、前記導光棒の光取り出し面と前記導光棒の下面とのなす角が７０°以上９０°未満の傾きを有するように形成されていることを特徴とする請求項１から請求項４のいずれかに記載の間接照明装置。
【請求項６】
前記導光棒の下面に、前記枠体の長辺に沿って設けられる前記別の反射板は、前記導光棒の矩形断面の下面を形成する辺より、短辺方向の長さが長く形成されていることを特徴とする請求項５記載の間接照明装置。
【請求項７】
前記枠体の前記上面に設けられる前記反射板は、マイクロ発泡樹脂シートの表面に線状溝構造が形成されたものであることを特徴とする請求項１から請求項６のいずれかに記載の間接照明装置。
【請求項８】
対向する短辺側の２つの前記側面の側端部近傍にそれぞれ前記開口部を有し、２つの前記ＬＥＤ光源を前記側面の側端部に形成された２つの前記開口部の外側にそれぞれ設けて、前記ＬＥＤ光源と前記導光棒の端部とを光接続させて、前記ＬＥＤ光源からの光を前記導光棒の両端面から入射させることを特徴とする請求項１記載の間接照明装置。
【請求項９】
前記導光棒はガラスまたはアクリル樹脂製で、前記光拡散板がガラスまたは樹脂製であることを特徴とする請求項１から請求項８のいずれかに記載の間接照明装置。
【請求項１０】
前記反射板は、ＰＥＴ樹脂、ＰＣ樹脂、ＰＭＭＡ樹脂のいずれかのマイクロ発泡樹脂製の反射板で、光反射率として波長４５０ｎｍから６５０ｎｍの可視光領域における硫酸バリウム基準板の反射率を１００％とした時の全反射率が９５％以上、拡散反射率が９５％以上であることを特徴とする請求項１から請求項９のいずれかに記載の間接照明装置。
【請求項１１】
ＬＥＤ光源と、  上部枠体と下部枠体を有する枠体と、  前記枠体の内部に配置される矩形断面を有する導光棒と、  マイクロ発泡樹脂製の反射板と、  光透過性の光拡散板と、を備える間接照明装置において、  前記上部枠体は、略矩形状の上面とこれを囲む側面から構成され、  前記下部枠体は、略矩形状の下面とこれを囲む側面から構成されるもので、  前記下部枠体の前記下面には開口部が形成され、  前記上部枠体の外周に前記下部枠体を配置して、  前記上部枠体と前記下部枠体の側面同士を組み合わせて閉じた時に、略直方体形状の前記枠体が形成され、  前記上部枠体と前記下部枠体の短辺側側面の一方の側端部近傍に、前記上部枠体と前記下部枠体の開口部の形成位置が重なるように、前記上部枠体と前記下部枠体にそれぞれ開口部を形成し、  前記導光棒は、前記上部枠体の一方の長辺内側面に沿って内側面に平行に、前記導光棒の端部が前記上部枠体の短辺側側面の前記開口部に対向するよう配置され、  マイクロ発泡樹脂製の長方形状の前記反射板は、前記導光棒の上面を覆い、前記枠体の短辺方向に前記枠体の上面から前記枠体の前記下面に向けて折り曲げて設けられたもので、  前記光拡散板は前記枠体の前記下面の開口部に設けられ、  前記ＬＥＤ光源が、前記下部枠体の側面の側端部近傍の開口部の外側に設けられ、  前記枠体の側面の開口部において、前記ＬＥＤ光源と前記導光棒の端面とが光接続されることを特徴とする間接照明装置。
【請求項１２】
前記枠体は、開口可能な上面とこれを囲む３つの側面よりなる前記上部枠体と、下面とこれを囲む４つの側面よりなる前記下部枠体の２つを一方の長辺側の側面部に設けた接続部により開閉自在に接続一体化したもので、  前記接続部を折り曲げて前記下部枠体の側面が前記上部枠体の側面を囲むように前記上部枠体と前記下部枠体を組み合わせて閉じた時には、前記上部枠体と前記下部枠体の上面と下面が略平行で、前記上部枠体と前記下部枠体の３つの側面が相互に重なりあい、前記接続部を伸ばした場合に、前記上部枠体と前記下部枠体を開くことが可能で、  前記上部枠体と前記下部枠体の短辺側側面の一方の側端部近傍には、前記上部枠体と前記下部枠体の開口部が重なるように前記上部枠体と前記下部枠体にそれぞれ開口部を形成し、  前記導光棒は、前記上部枠体の前記接続部を有する長辺内側面に沿って内側面に平行に、前記導光棒の端部が前記上部枠体の短辺側側面の開口部に対向するよう配置され、  前記ＬＥＤ光源が、前記下部枠体の側面の側端部近傍の開口部の外側に設けられ、  前記上部枠体と前記下部枠体の側面の開口部において前記ＬＥＤ光源と前記導光棒の端面とが光接続されることを特徴とする請求項１１記載の間接照明装置。
【請求項１３】
少なくとも前記枠体の側面全周及び前記枠体の下面が、全反射率が９５％以上、拡散反射率が９５％以上であるマイクロ発泡樹脂シートから形成されることを特徴とする請求項１、請求項９、請求項１１、または請求項１２のいずれかに記載の間接照明装置。
【請求項１４】
前記枠体の長辺側側面と、前記枠体の短辺側側面及び枠体の下面に前記導光棒を接触させるように配置することを特徴とする請求項１３に記載の間接照明装置。
【請求項１５】
請求項１から請求項１４のいずれかに記載の間接照明装置を用いて、前記ＬＥＤ光源からの光を前記導光棒の端面から入射させ、前記導光棒の枠体長辺側側面と対向する側面と反対側の光取り出し面から光を取り出し、取り出した光を前記枠体の前記上面から前記枠体の前記下面に向けて折り曲げて形成した前記反射板に反射させることで、光を前記光拡散板に入射させて光を取り出すことを特徴とする間接照明装置からの光取出し方法。
【請求項１６】
前記枠体の前記導光棒の光取り出し面と、前記ＬＥＤ光源と前記導光棒とが光接続する前記開口部を除く全ての面がマイクロ発泡樹脂製の反射板で覆われていることを特徴とする請求項１５記載の間接照明装置からの光取出し方法。
【発明の詳細な説明】
【技術分野】
【０００１】
本発明は、使用するＬＥＤ光源の数が少なく、点光源を用いても光源が直接見えることの無い、耐グレア性に優れ、照明器具の発光面の明るさのばらつきが少ない室内用間接照明装置等に関するものである。
【背景技術】
【０００２】
特許文献１には、自動車の車室内に設けられる車内照明灯に用いられるＬＥＤユニットとして、車幅方向に対応する両側のそれぞれに斜め外向きに向く基板取付け面を有するブラケットと、ブラケットの各基板取付け面に取り付けられたＬＥＤ搭載基板と、ＬＥＤ搭載基板に搭載されたＬＥＤとを備える車内照明用ＬＥＤユニットが開示されている。
【０００３】
特許文献１の照明の場合には、ＬＥＤ光源の使用する個数が多く、さらにＬＥＤ光源がブラケットの上面に配置されているので、光取り出し面の輝度ばらつきが大きい問題がある。
【０００４】
特許文献２には、フィンを有するヒートシンクが裏面側に接合された発光ダイオードと、前記フィンまたは前記発光ダイオードを挿通させる開口部が形成された取付け対象部と、を備え、前記取付け対象部に、前記発光ダイオードを、前記フィンが当該取付け対象部の裏面側に突出するように取り付ける車両用灯具であって、前記ヒートシンクに、前記取付け対象部の取付け対象面に沿って延びるブラケットを一体形成した車両用灯具が開示されている。
【０００５】
特許文献２によれば、ヒートシンクのフィンの取付け対象部の裏面側への突出量を小さくしても、光源からの熱の放熱性の低下を抑制することのできるものの、４つのＬＥＤ光源がブラケットの直上に設けられており、ＬＥＤ光源部とその他の部位での輝度に大きな相違が生じる。そのため、照明装置における光取り出し面における輝度の差が大きい。
【０００６】
非特許文献１の車載用間接照明装置の分解斜視図を図１に示す。図１に示すように、非特許文献１の車載用間接照明装置は、間接照明装置の拡散カバー機能を有する下部枠体５０２と、導光板４５と、上部枠体５０１と、ＬＥＤ光源６４を実装した基板６５を組み合わせて形成される。略直方体状の上部枠体５０１の対向する２辺の一辺の外側にＬＥＤ光源６４を所定間隔で直線状に実装した基板６５が配置される。ＬＥＤ光源６４から出射される光は導光板４５に導かれる。導光板４５に導かれた光は、導光板４５の表面に多数所定間隔で形成したプリズム状の微細突起構造の出射部位から出射され、間接照明装置から出射される光を均一に広げて、照明装置の光取り出し面の明るさを均一に保つことができる。
【０００７】
この間接照明装置では、ＬＥＤ光源６４と導光板４５との光接続は、導光板４５の端面においてなされる。この際、使用するＬＥＤ光源６４の発光面の大きさや出力に合わせて、導光板４５の厚さを変更することができる。間接照明装置の照度を一定に保つために、例えば、出力の小さい６個から８個のＬＥＤ光源を実装した基板６５が使用され、ＬＥＤ光源６４から出射される光と導光板４５の端面との光接続が行なわれる。この発明は、それぞれのＬＥＤ光源６４からの光をプリズム状の微細突起構造を有する導光板４５に導くことで、導光板４５から出射される光の明るさを均等化させようとするものである。ここで、導光板４５は、光源からの距離が遠く導光板４５の光強度が低下するほど導光板４５の板厚が薄くなり、導光板からの光取り出し効率が向上するようになっている。図２は、ケース状の上部枠体５０１に導光板４５を配置した状態を示す上部枠体５０１の横断面図である。導光板４５には、プリズム状の微細突起構造４６が形成されている。このプリズム状の微細突起構造４６により、導光板４５からの光を取り出し易くしている。
【０００８】
この発明の構造の場合には、ＬＥＤ光源６４を多く使用するとともに、導光板４５の構造が複雑であることから、部品点数が多く、コストが高い問題がある。さらに、ＬＥＤ光源６４の個数が多いことからＬＥＤ光源６４の消費電力も多い。
【先行技術文献】
【特許文献】
【０００９】
【特許文献１】特開２０１０−１０５５８３号公報
【特許文献２】特開２００８−１９５２８４号公報
【非特許文献】
【００１０】
【非特許文献１】豊田合成技法  Ｖｏｌ．５４  Ｐ２０〜Ｐ２６  「車室内照明へのＬＥＤの適用」
【発明の概要】
【発明が解決しようとする課題】
【００１１】
本願発明は、ＬＥＤ光源の数を少なくするとともに、導光板を使用することなく、照明装置全体に光を拡散させることが可能な耐グレア性に優れた室内用間接照明等を提供しようとするものである。
【００１２】
これにより、間接照明装置のＬＥＤ光源数を減少させ、複雑な形状の導光板を使用せずに簡素な構造の耐グレア性に優れた、発光面の明るさのばらつきが少ない間接照明装置等を提供でき、部品点数が少ない間接照明装置を実現して、コストダウンにも資することを目的とする。
【課題を解決するための手段】
【００１３】
そのため、本願の第１の発明は、下記の構造的特徴を有している必要がある。請求項１に記載の発明は、ＬＥＤ光源と、長辺と短辺からなる上面および下面と、前記上面および前記下面を接続する側面と、を具備する略直方体の枠体と、前記枠体の内部に配置される矩形断面を有する導光棒と、マイクロ発泡樹脂製の反射板と、光透過性の光拡散板と、を備える間接照明装置である。
【００１４】
ここで、第１の発明の枠体は、前記下面と、短辺側の少なくとも一方の前記側面の側端部近傍とに開口部を有し、前記導光棒は、前記枠体の一方の長辺側の内側面に沿って、前記枠体の長辺側の内側面に平行に、前記導光棒の端部が短辺側側面の前記開口部に対向するよう配置され、長方形状の前記反射板は、長辺方向には直線状で、前記導光棒の上面を覆い、短辺方向に前記枠体の前記上面から前記枠体の前記下面に向けて折り曲げて形成されたもので、前記光拡散板は前記枠体の前記下面の前記開口部に設けられる。ここで、導光棒の上面とは、導光棒の枠体上面側の面を指すものとする。
【００１５】
第１の発明では、前記ＬＥＤ光源が、前記枠体の前記側面の側端部の前記開口部の外側に設けられ、前記枠体の前記側面の側端部近傍の前記開口部において前記ＬＥＤ光源と前記導光棒の端面が光接続されるものである。ここで、本発明における側端部近傍とは、側端部と側端部近傍の両方の意味を包含するものとする。
【００１６】
第１の発明の前記導光棒の、前記枠体の長辺側側面との対向面は、光を取り出すために粗面化されているか、あるいはプリズム状の微細突起構造が形成されていることが望ましい。このように、導光棒の光取り出し面を粗面化するか、あるいはプリズム状の微細突起構造が繰り返し形成されていることで、導光棒からの光取り出し効率を向上させることができる。例えば、導光棒の光取り出し面を、所定の番手のペーパや、やすりで粗面化することで、粗面化面を得ることができる。また、導光棒の表面にプリズム状の微細突起構造を得るには、精密な樹脂成形により導光棒の表面に直接プリズム状の微細突起構造を直接形成するか、あるいはプリズム状の微細突起構造が繰り返し形成されたフィルムを貼ることなどにより得ることができる。
【００１７】
また、導光棒の光源を入射させる側の端面は反射防止膜の形成など反射防止処理が施されていることが望ましいが、特に処理をせずに使用することもできる。導光棒の光源を入射させる側の端面とこれと対向する側の端面は研磨され、端面から光が漏れないようにすることが望ましい。ここで、導光棒の固定は、枠体や反射板で挟み込んで固定することもできるが、より確実には接着材を用いて枠体や反射板に固定するか、あるいは両面テープを用いて固定することができる。この際、接着材は光透過性の透明な接着材を用いることが望ましい。
【００１８】
第１の発明において、前記反射板の一方の長辺側端部近傍を前記枠体の前記上面に接触させ、前記反射板の長辺側の他方の端部が前記枠体の前記下面に接するように折り曲げて形成されている。すなわち、光を取り出す導光棒からの距離が遠くなるほど、反射板と光拡散板の間隔が狭くなるように設定されているため、導光棒から遠い位置における反射光を効率良く取りだすことができる。このため、導光棒から遠い位置における反射光の強度と導光棒の近くにおける反射光の強度の差を少なくして、光拡散板から均一な明るさの光を取り出すことができる。また、このように反射板を枠体の上面及び下面に接触させることにより、反射板の折り曲げ形状を安定して保つことができる。
【００１９】
第１の発明において、前記反射板とは別の反射板が、前記枠体の長辺側の内側面と前記枠体の前記下面と、前記枠体の短辺側内側面に、前記導光棒の側面と下面および端面に接するように設けることができる。このようにすることで、導光棒のＬＥＤ光源との光接続面と導光棒の光取り出し面以外の面を光反射率の高い反射板で覆うことができる。そのため、導光棒の光取り出し面以外の導光棒の側面や下面及び端面から放出される光を導光棒に戻すことができる。これにより、導光棒の光取り出し面以外の面からの放出される光を少なくして、導光棒の光取り出し面からの光取り出し効率を向上させることができる。このように、導光棒の端面を含む導光棒の周囲に高い光反射率を有するマイクロ発泡樹脂製の反射板を形成することで、導光棒の端面からの光の漏れを防止することができる。また、ＬＥＤ光源が導光棒の片側のみ配置される場合でも、光拡散板から均一な光強度の光を取り出すことができる照明装置を実現することができる。
【００２０】
第１の発明において、前記枠体には、枠体上面以外にも導光棒の周りに導光棒を囲むように長辺側内側面と枠体の下面及び導光棒の端面に反射板を配置する。この他に、枠体の短辺側の両内側面に反射板を形成することができる。
ここで、枠体の短辺側の内側面に形成する反射板と導光棒の端面に形成する反射板は、別体に形成しても良いが、両者はいずれも短辺側の内側面に形成されることから、両者を一体に連続して形成する方が作業性の点で好ましい。
【００２１】
例えば、枠体の短辺側両側面に反射板を形成することで、枠体の短辺側の内側面における光反射率を向上させることができる。反射板としては、光反射特性に優れるマイクロ発泡樹脂シートを張り付けることが望ましい。ここで、枠体下面には、光取り出し用の開口部が設けられるが、この光取り出し用の開口部は、枠体外形と相似形状の矩形であることが望ましく、枠体の強度に影響がない範囲で、開口部は大きいほど望ましい。開口部を大きくすることで、開口部に設置する光拡散板を大きくすることができるのでより広範囲の照射面を有する間接照明を得ることができる。
【００２２】
第１の発明では、前記枠体の短辺側内側面には、ＬＥＤを設置する開口部を除き前記反射板が形成されていることが望ましい。このようにすることで、前記短辺側内側面も、光反射率の高い反射板で覆われているので、導光棒から取り出された光が短辺側側面の反射板により効率良く反射され、側面反射による損失を少なくすることができ、間接照明装置の明るさを高く保つことができる。
【００２３】
前記導光棒の断面形状は、前記導光棒の断面下側の辺が前記導光棒の断面上側の辺より長い台形状で、前記導光棒の光取り出し面と前記導光棒の下面とのなす角が７０°以上９０°未満の傾きを有するように形成されている。このように、導光棒の光取り出し面を前記枠体の上面方向僅かに向けて形成することで、前記導光棒から取り出された光を前記枠体上面に折り曲げられて設けられた反射板に反射させ易くなり、枠体内の光の反射が均一化される。
【００２４】
前記角度は、７０°以下になると、光取り出し面がＬＥＤ光源の導光棒の下面において配向強度が低い部分に光が広がり易く望ましくない。もちろん、９０°を超えると、反射板方向に向かなくなり、光を反射板で反射させにくくなるので好ましくない。ここで、前記角度は７０°以上８０°以下がさらに望ましい。
【００２５】
第１の発明の前記導光棒の下面に、前記枠体の長辺に沿って形成される前記反射板は、前記導光棒の矩形断面の下面を形成する辺より、短辺方向の長さが長く形成されている。ここで、前記反射板が導光棒の下面より長く形成されることで、導光棒から直接取り出された光を枠体上面に設けた反射板に反射させることで、枠体内の光の強度の均等化を図ることができる。
【００２６】
前記枠体上面の反射板は、マイクロ発泡樹脂シートの表面に線状溝構造が形成されていても良く、線状溝構造は鋸歯形状であることが望ましい。前記反射板の表面に形成される鋸歯形状の線状溝構造の形成は、マイクロ発泡樹脂シートの表面を薄い金属ブレードなどを長手方向に表面に押しつけることやマイクロ発泡樹脂シートを折曲げる前に、プレスで成形することなどで導光棒の長手方向に平行な方向に前記線状溝構造を形成して得ることができる。
【００２７】
ここで、マイクロ発泡樹脂シートの表面に前記線状溝構造を形成することで、反射板の光反射が均一化する理由は、溝構造の形成により、反射板の折り曲げ形状が安定すると同時に、前記線状溝構造に入射した光が、拡散板を透過しやすい角度で、溝形状の近傍の拡散板位置に反射させるためである。また、線状溝構造は、導光棒の光取り出し面から遠い側の溝部の斜面長さが導光棒の光取り出し面に近い側斜面の長さより長くすることが望ましい。このように線状溝構造を形成することで、導光棒から放出された光を、反射板の斜面部により光拡散板に向けて反射し、また光拡散板から反射した光を溝部に取り込んで溝部の直下の光拡散板に反射させることができる。従って、この反射板に形成した線状溝構造により、導光棒から遠い位置においても、光を光拡散板に対して均一に反射させることができる。
【００２８】
前記導光棒は、ガラスまたはアクリル樹脂製の断面形状が略矩形または台形状の棒材である。前記枠体下面の開口部に、光透過性を有するガラスまたは樹脂製の光拡散板を固定しても良い。このようにすることで、光拡散板から取り出す光の耐グレア性を向上させるとともに、柔らかく均一な光を取り出すことができる。
【００２９】
前記反射板は、ＰＥＴ樹脂、ＰＣ樹脂、ＰＭＭＡ樹脂のいずれかのマイクロ発泡樹脂製の反射板で、光反射率として波長４５０ｎｍから６５０ｎｍの可視光領域における硫酸バリウム基準板の反射率を１００％とした時の全反射率が９５％以上、拡散反射率が９５％以上である照明装置である。ここで、全反射率が９８％以上、拡散反射率は９８％以上とすることが望ましい。このように、導光棒から取り出した光を拡散反射率の高い反射板に反射させ、さらに光拡散板による拡散反射させることで、照明装置内で拡散反射を繰り返し、照明装置の光を均一に面状に広げて、照度の高い光を拡散板から下方に取り出すことができる。これに加えて、導光棒の光取出し面とＬＥＤ光源と光接続する面以外の面を反射板で覆うことで、さらに均一で照度の高い光を取り出すことができる。
ここで、導光棒の材料として、ガラスも使用できるが、軽量化の観点では、アクリル樹脂製が望ましい。ここで、枠体の材料としては、ポリプロピレン、塩化ビニル樹脂等の熱可塑性樹脂を用いることが望ましい。
【００３０】
対向する短辺側の２つの前記側面の側端部近傍にそれぞれ前記開口部を有し、２つの前記ＬＥＤ光源を前記側面の側端部に形成された２つの前記開口部の外側にそれぞれ設けて、前記ＬＥＤ光源を前記側面に設けた前記開口部の外側に設け、前記ＬＥＤ光源と前記導光棒の端部とを光接続させて、前記ＬＥＤ光源からの光を前記導光棒の両端面から入射させる間接照明装置である。以上のように、本願の間接照明装置は、２つのＬＥＤ光源を有し、前記ＬＥＤ光源からの光を導光棒の両端面から入射させることができる。導光棒は例えば、断面正方形、長方形または台形の光透過性を有する棒材である。ＬＥＤ光源をケース長手方向の両端に設けることで、照明装置のケース長手方向に沿った明るさの分布を、ＬＥＤ光源１個の場合に較べると、より均一にすることが可能になる。
【００３１】
第２の発明は、ＬＥＤ光源と、上部枠体と下部枠体を有する枠体と、前記枠体の内部に配置される矩形断面を有する導光棒と、マイクロ発泡樹脂製の反射板と、光透過性の光拡散板と、を備える間接照明装置に関するもので、枠体を上部枠体と下部枠体の別々の枠体で形成したことが第２の発明の特徴である。
【００３２】
第２の発明では、前記上部枠体は、略矩形状の上面とこれを囲む側面から構成され、前記下部枠体は、略矩形状の下面とこれを囲む側面から構成される。具体的には、枠体の上面と下面が矩形状であることから、上部枠体は、上面と４つの側面からなり、下部枠体は、下面と４つの側面からなる。前記下部枠体の前記下面には開口部が形成され、前記上部枠体の外周に前記下部枠体を配置して、前記上部枠体と前記下部枠体の側面同士を組み合わせて閉じた時に、略直方体形状の前記枠体が形成される。前記上部枠体と前記下部枠体の短辺側側面の一方の側端部近傍に、前記上部枠体と前記下部枠体の開口部の形成位置が重なるように、前記上部枠体と前記下部枠体にそれぞれ開口部を形成する。
【００３３】
第２の発明では、以下に記載する導光棒、反射板、光拡散板の構成は、第１の発明と同様である。ここで、前記導光棒は、前記上部枠体の一方の長辺内側面に沿って内側面に平行に、前記導光棒の端部が前記上部枠体の短辺側側面の前記開口部に対向するよう配置され、マイクロ発泡樹脂製の長方形状の前記反射板は、前記導光棒の上面を覆い、前記枠体の短辺方向に前記枠体の上面から前記枠体の前記下面に向けて折り曲げて設けられたもので、前記光拡散板は前記枠体の前記下面の開口部に設けられ、前記ＬＥＤ光源が、前記下部枠体の側面の側端部近傍の開口部の外側に設けられ、前記枠体の側面の開口部において、前記ＬＥＤ光源と前記導光棒の端面とが光接続される間接照明装置とすることができる。また、第２の発明において、導光棒の光取り出し面は光を取り出すために粗面化されているか、あるいはプリズム状の微細突起構造が繰り返し形成されていることはいうまでもない。      
【００３４】
第２の発明の間接照明装置では、前記上部枠体と前記下部枠体からなる２つの枠体を用いて、前記上部枠体と前記下部枠体を組み合わせて両者をテープ止めるだけで、枠体を組み立てることが可能になる。したがって第１の発明の間接照明装置のように、上面を下面と側面を接着などで一体化して枠体を形成する必要がない。
【００３５】
第３の発明の間接照明装置では、ＬＥＤ光源と、上部枠体と下部枠体と両者を接続する接続部からなる枠体と、枠体内部に配置される矩形断面を有する導光棒と、マイクロ発泡樹脂製の反射板と、光透過性の光拡散板とを、備える間接照明装置である。前記枠体は、開口可能な上面とこれを囲む３つの側面よりなる上部枠体と、下面とこれを囲む４つの側面よりなる下部枠体の２つの枠体を一方の長辺側の側面部に設けた接続部により開閉自在に接続一体化される。
【００３６】
第３の発明では、前記接続部を折り曲げて前記下部枠体の側面が前記上部枠体の側面を囲むように前記上部枠体と前記下部枠体を組み合わせて閉じた時には、前記上部枠体と前記下部枠体の上面と下面が略平行で、前記上部枠体と前記下部枠体の３つの側面が相互に重なりあい、前記接続部を伸ばした場合に、前記上部枠体と前記下部枠体を開くことが可能である。
【００３７】
前記上部枠体と前記下部枠体の短辺側側面の一方の側端部近傍には、前記上部枠体と前記下部枠体の開口部が重なるように前記上部枠体と前記下部枠体にそれぞれ開口部を形成し、前記導光棒は、前記上部枠体の前記接続部を有する長辺内側面に沿って内側面に平行に、前記導光棒の端部が前記上部枠体の短辺側側面の開口部に対向するよう配置される。
【００３８】
第３の発明では、前記ＬＥＤ光源が、前記下部枠体の側面の側端部近傍の開口部の外側に設けられ、前記上部枠体と前記下部枠体の側面の開口部において前記ＬＥＤ光源と前記導光棒の端面とが光接続される間接照明装置であっても良い。
【００３９】
第３の発明の間接照明装置を用いて、前記ＬＥＤ光源からの光を前記導光棒の端面から入射させ、前記導光棒の枠体長辺側側面と対向する側面の反対面である光取り出し面から光を取り出し、取り出した光を、前記導光棒の上面を覆い、前記枠体の前記上面から前記枠体の前記下面に向けて折り曲げて形成した前記反射板に反射させることで、光を前記光拡散板に入射させて、前記光拡散板から光を取り出すことができる。
【００４０】
第３の発明において、前記枠体は、塩化ビニル樹脂などの樹脂製の枠体であり、樹脂シートを折り曲げて製造したものである。例えば、上部枠体のそれぞれ両側の長辺側側面と短辺側側面を、上面に対して折り曲げて形成することができるが、折り曲げ部同士の隅部は相互に接続が可能で有り、接続部は相互に接着または融着して接続される。同様に、開口部を有する下部枠体の、一方の長辺側側面と両側の短辺側側面を下面に対して折り曲げることで上部枠体を組み立てることができる。下部枠体も、同様に折り曲げ部同士は接着または融着して接続する。このように、長辺側側面と短辺側側面を上面または下面に対してそれぞれ直角に折り曲げて形成される角部を接着または融着すれば、略直方体形状の枠体を形成することができる。上部枠体と下部枠体の接続は、接続部に相当する部位を相互に融着するか、粘着テープまたはマジックテープ（登録商標）などの他の公知の方法を用いて接続しても良い。
【００４１】
また、枠体の短辺側端面近傍には、ＬＥＤと光接続するための開口部が形成される。開口部の形状は導光棒と相似形状の矩形状が望ましいが、開口部の形状はＬＥＤ光源との光接続に問題が無ければ円形でも良い。ここで、開口部の中心と導光棒断面の中心を一致させることができれば、導光棒に効率的にＬＥＤ光源からの光接続することができる。第３の発明においても、導光棒の光取り出し面は光を取り出すために粗面化されているか、あるいはプリズム状の微細突起構造が繰り返し形成されていることが望ましい。
【００４２】
上面とこれに接続する側面を有する上部枠体と、下面とこれに接続する側面を有する下部枠体を組み合わせることで、間接照明装置としての枠体全体が形成できる。この際、下部枠体の下面には、光を取り出すための枠体下面外形と略相似形の矩形状の空間が設けられる。この矩形状の空間には、光拡散板が設けられる。
【００４３】
ここで、第２の発明、第３の発明において、いずれも下部枠体の下面は、上部枠体の上面より大きく形成されており、両者を組み合わせて枠体を形成する時に、上部枠体が下部枠体中に収納され、上部枠体の外側に配置される下部枠体の短辺側側面の開口部の外側にＬＥＤ光源が設けられ、上部枠体の導光棒の端面に光接続する。
【００４４】
ここで、特に図示しないが、上記とは逆に、下部枠体の下面より、上部枠体の上面を大きく形成し、上部枠体と下部枠体を組み合わせる時に、下部枠体を上部枠体中に収納することができる。つまり、下部枠体を上部枠体中に収納して、反射板を前記導光棒の上面を覆い、上部枠体の上面から下部枠体の下面に向けて折り曲げて形成することもできる。下部枠体の外側に配置される上部枠体の開口部の外側にＬＥＤ光源が設けられ、下部枠体の導光棒の端面に光接続する構造とすることもできる。ここでは、前記上部枠体と前記下部枠体の短辺側側面の一方の側端部近傍には、両枠体の開口部が重なるように両枠体にそれぞれ開口部を形成し、導光棒は、前記下部枠体の接続部を有する長辺内側面に沿って前記内側面に平行に、前記導光棒の端部が前記下部枠体の短辺側側面の開口部に対向するよう配置されても良い。
【００４５】
導光棒に入射した光は、導光棒の枠体の枠体長辺側側面と対向する側面の反対面から光が取り出される。前記対向面は、表面が粗面化されているか、光を取り出すためにプリズム状の微細突起構造が形成される。このようにプリズム状の微細突起構造を形成することで、光を効率的に取り出すことができる。
【００４６】
ここで、枠体の上面には、短辺方向の一方の端部から他方の端部にかけて、下面に向けて折り曲げて形成された反射板が設けられる。導光棒か取り出された光は、前記下面に向けて折り曲げて形成された反射板により反射されて、下部枠体の下面の光を取り出すための矩形状の空間に導かれる。ここには、光拡散板が設けられ、光拡散板から照明器具から外部に光が取り出される。
【００４７】
尚、前記下面に向けて折り曲げて形成された反射板の表面には、鋸歯形状の線状溝構造が多数形成される。このように線状溝構造を多数形成することで、前記折り曲げた反射板により、導光棒から遠い位置においても光拡散板に光を集めることが可能になり、より均等な照度を有する照明を実現することができる。
【００４８】
ここで、この照明のＬＥＤ光源は、枠体の外部に設けられることから、光が出射される開口部からＬＥＤ光源は見えない。このため、本発明の間接照明装置は耐グレア性に優れる。本発明の照明装置においては、ＬＥＤ光源の数が１個または２個で済むことから、省エネが実現でき、製品コストも低下させることができる。
【００４９】
ここで、本発明の間接照明装置は上部枠体と下部枠体が必ずしも、一体に形成される必要はなく、例えば、第２の発明のように、上部枠体と下部枠体が別体で形成されても良く、あるいは第３の発明のように、接続部を介して一体に形成されていても良い。上部枠体と下部枠体が別体で形成されていても、あるいは接続部を介して一体で形成されている場合でも、上部枠体の上面と下部枠体の下面が平行に成るように組み合わせると、導光棒の断面の中心とＬＥＤ光源の中心を一致させて光接続できる。
【００５０】
本発明の間接照明装置を用いると、点状光源であるＬＥＤ光源からの光を導光棒に導光して、導光棒の光取り出し面から所定幅の線状光源として光を取り出すことができる。また、取り出された光を、前記導光棒の上面を覆い、短辺方向に前記枠体上面から前記枠体下面に向けて折り曲げて形成した反射板に反射させて、光を面状に広げて、さらに前記反射板と開口部に設けた光拡散板との間で反射を繰り返しながら、光を取り出すことが可能となる。
【００５１】
本発明の間接照明装置において、前記開口部、前記導光棒、前記反射板、前記ＬＥＤ光源の配置に関して、長辺と短辺を相互に入れ代えた構造とすることもできる。このように、長辺と短辺を入れ換えた構造としても、点状のＬＥＤ光源から導光棒で線状に導光した後、導光棒から光を取りだして、折り曲げて形成した前記反射板に反射させて光を取り出す照明装置としての光の取り出し機構や本発明の基本的な構造や効果に変わりはない。ここで、長辺と短辺を入れ代えるのではなく、長辺と短辺が等しい長さの構造の照明装置とすることもできる。この場合でも、照明装置としての光の取り出し機構や本発明の基本的な構造や効果に変わりはない。
【００５２】
また、少なくとも前記枠体の側面全周及び前記枠体の下面が、全反射率が９５％以上、拡散反射率が９５％以上であるマイクロ発泡樹脂シートから形成されてもよい。
【００５３】
この場合、前記枠体の長辺側側面と、前記枠体の短辺側側面及び枠体の下面に前記導光棒を接触させるように配置してもよい。
【００５４】
第４の発明は、第１の発明から第３の発明の間接照明装置を用いて、前記ＬＥＤ光源からの光を導光棒の端面から導光棒に入射させ、前記導光棒の枠体長辺側側面と対向する側面の反対側の側面である光取り出し面から光を取り出し、前記取り出した光を前記枠体上面から前記枠体下面に向けて折り曲げて形成した反射板に反射させることで、前記光拡散板に入射させて光を取り出す光取出し方法である。
【００５５】
前記枠体の前記導光棒の光取り出し面と、前記ＬＥＤ光源と前記導光棒とが光接続する前記開口部を除く全ての面がマイクロ発泡樹脂製の反射板で覆われてもよい。
【発明の効果】
【００５６】
本発明の間接照明装置を用いれば、使用するＬＥＤ光源の数が少なく、点光源を用いても光源が直接見えることが無く、耐グレア性に優れ、照明器具の発光面の明るさのばらつきが少ない、特に車載用間接照明装置に適した室内用間接照明装置が得られる。
【図面の簡単な説明】
【００５７】
【図１】従来技術の非特許文献１の車載用間接照明装置の分解斜視図
【図２】従来技術の非特許文献１の車載用間接照明装置の平面断面図
【図３】本発明の導光棒の片端部にＬＥＤを配置した間接照明装置の構造
【図４】図４（ａ）は、導光棒が台形の場合の構造断面図、図４（ｂ）は、反射板が導光棒の下面より長く形成された構造断面図、図４（ｃ）は、上面反射板に鋸歯形状の線状溝構造が形成されている場合の構造断面図、図４（ｄ）は、図４（ｃ）の鋸歯形状の線状溝構造の斜面長さと溝深さが導光棒から遠い反対側の側面に向かうにつれて大きくなるように形成されている場合を示す構造断面図
【図５】本発明の導光棒の両端にＬＥＤ光源を配置した間接照明装置の構造断面図
【図６】本発明の枠体が上部枠体と下部枠体の２つの枠体からなる間接照明装置の分解斜視図の一例であり、図６（ａ）は、下部枠体を示す分解斜視図、図６（ｂ）は、反射板を示す分解斜視図、６（ｃ）は、上部枠体を示す分解斜視図
【図７】本発明の上部枠体と下部枠体と接続部により開口する構造の間接照明装置の斜視図の一例を示す図
【発明を実施するための形態】
【００５８】
（第１の実施形態）
以下、本発明の第１の実施形態にかかる間接照明装置１００について説明する。図３は間接照明装置１００を示す図である。間接照明装置１００の枠体は、長辺と短辺からなる上面２０１（枠体上面）と下面２０４（枠体下面）、および側面２０３（枠体側面）からなる略直方体形状の枠体２００により形成される。ここで、枠体２００の内部には、矩形断面を有する導光棒４が枠体の一方の長辺内側面沿って、前記枠体長辺内側面に平行に、導光棒４の端部が枠体２００の短辺側側面の側面開口部５３に対向するように配置される。なお、導光棒４は例えばガラスまたはアクリル樹脂製である。枠体２００内部には、長方形状のマイクロ発泡樹脂シートからなる反射板３が、導光棒の上面を覆い、前記枠体上面を隠すように前記枠体上面から前記枠体下面に向けて折り曲げて形成される。
【００５９】
第１の実施形態における間接照明装置の枠体２００の長辺側内側面と導光棒４の側面の間には、マイクロ発泡樹脂製の反射板３が配置される。導光棒の下面の下部枠体には、反射板３が配置される。前記枠体は、枠体の下面開口部５１と、少なくとも一方の短辺側側面の側端部近傍に側面開口部５３を有している。下面開口部５１には、光透過性の光拡散板６が配置される。光拡散板６は、例えばガラスまたは樹脂製である。ＬＥＤ光源６１は、前記枠体の短辺側側面の一方の側端部に設けた側面開口部５３に設置される。ＬＥＤ光源６１は、前記枠体側面の側面開口部５３の外側に配置され、枠体２００の側面の側端部近傍の側面開口部５３において、前記側面開口部５３に対向するように配置された前記導光棒の端面４３と光接続される。
【００６０】
なお、反射板３は、ＰＥＴ樹脂、ＰＣ樹脂、ＰＭＭＡ樹脂のいずれかのマイクロ発泡樹脂製であることが望ましい。また、反射板３は、光反射率として波長４５０ｎｍから６５０ｎｍの可視光領域における硫酸バリウム基準板の反射率を１００％とした時の全反射率が９５％以上、拡散反射率が９５％以上であることが望ましい。
【００６１】
ここで、第１の実施形態では、ＬＥＤ光源６１から放出された光は、前記のように、枠体の一方の短辺側側面の側端部に配置された導光棒４の端面に入射して導光棒４によって導光され、導光棒４の枠体２００の長辺側側面との対向面である光取り出し面４１から、間接照明装置の内部に取り出すことができる。導光棒４の光取り出し面４１は、光が取り出しやすいように粗面化されているか、あるいはプリズム状の微細突起構造が形成されている。光取り出し面４１から取り出された光は、枠体２００内の空間に放出され、枠体の上面２０１を隠すように前記枠体の上面２０１から枠体の下面２０４に向けて短辺方向に折り曲げて形成された反射板３により反射される。ここで、導光棒４の表面は、ＬＥＤ光源６１と光接続する側の導光棒４の端面４３から反対側の導光棒の端面４３に行くにつれて、光取り出し効率が向上するように粗面化の程度が徐々に多きくなることが望ましい。
【００６２】
第１の実施形態の反射板３は、長方形状のマイクロ発泡樹脂シートを折り曲げて形成したものある。反射板３は、長辺方向には直線状で、反射板は導光棒の上面を覆い短辺方向に枠体の上面２０１から枠体の下面２０４に向けて折り曲げて形成される。例えば、反射板３の一方の長辺側端部近傍を枠体２００の上面２０１に接触させ、反射板３の長辺側の他方の端部が枠体２００の下面２０４に接するように折り曲げて形成されている。反射板３により反射された光は、光拡散板６を透過して間接照明装置１００から外部に放出される。ここで、反射板３は、前記枠体の上面２０１から前記枠体の下面２０４に向けて短辺方向に折り曲げて形成されている。このように、導光棒４から取り出した光を下面に向って折り曲げて形成した反射板３に反射させることで、枠体の下面２０４の下面開口部５１に設けた光拡散板６から導光棒４からの距離が遠い位置においても、均一な光を光拡散板６から取り出すことができる。
【００６３】
上記の他、導光棒４の光取り出し面４１とＬＥＤ光源６１との光接続を行う導光棒の端面４３を除く、枠体長辺側内側面や枠体下面あるいは導光棒のＬＥＤ光源を配置しない側の端面との接触面に加えて枠体短辺側内側面にも反射板３を設けることが望ましい。このように、導光棒４の光取り出し面４１とＬＥＤ光源６１との光接続する端面４３を除く導光棒４の全ての表面（４面）を反射板３で覆うことで、導光棒４の輝度を保ち、導光棒４からの光取り出し効率を高めることができる。
【００６４】
図４は、第１の実施形態における枠体の内部に配置された導光棒４の形状の影響や下側反射板の長さ及び上側の反射板に鋸歯形状の線状溝構造を形成した場合の間接照明装置を比較したものである。ここで、図４（ａ）は導光棒４の断面形状が台形の場合の構造図、図４（ｂ）は反射板３が導光棒４の下面より長く形成された構造図、図４（ｃ）は上面反射板に鋸歯形状の線状溝構造が形成されている場合の構造図、図４（ｄ）は鋸歯形状の線状溝構造の溝深さが導光棒から遠い反対側の側面に向かうにつれて大きくなるように形成されている場合を示す構造図である。
【００６５】
図４（ａ）は、導光棒４の断面形状は、導光棒４の下面を形成する断面下側の辺が導光棒４の上面を形成する断面上側の辺より長い台形状で、導光棒４の光取り出し面４１と導光棒の下面４２とのなす角が７５°の傾きを有するように形成されている。このように導光棒４の光取り出し面４１を斜めに形成することにより、折り曲げて形成された反射板３に導光棒４から取り出した光を当てることで、前記反射板３により反射させ易くすることができる。ここで、導光棒４の光取り出し面４１と導光棒４の下面４２とのなす角は７０°以上９０°未満とすることが望ましい。
【００６６】
図４（ｂ）は、導光棒４の下面に形成される反射板３は、前記導光棒４の矩形断面の下面を形成する辺より短辺方向の長さが長く形成されている。導光棒４の下面に形成される反射板を、反射板とは別の反射板で構成してもよい。このように、導光棒４の下面に形成される反射板３を導光棒４の矩形断面の下面より長く形成することで、導光棒４から取り出した光の一部が下部反射板により反射されて、前記折り曲げて形成した上部の反射板に反射させることができる。これにより、導光棒から取り出した光を枠体空間全体に広げることができ、光拡散板６から取り出す光をより均一にすることができる。
【００６７】
図４（ｃ）は、枠体上面の反射板３は、光反射時の光拡散効率を向上させるため、前記マイクロ発泡樹脂シートの表面に、略垂直な状態から所定角度傾いた直線部とこれと対向する曲線部からなる鋸歯形状の溝が繰り返して形成された鋸歯形状の線状溝構造３１を具備するものである。ここで、鋸歯形状の線状溝構造と定義したのは、溝の曲線部と直線部が交わる鋸歯の刃先に相当する先端部を結ぶ崩落線に対して、直線部と曲線部の交わる点が鋸歯形状の溝として多数連続して枠体長手方向に略平行な方向に線状に形成されるからである。ここで、線状溝構造の導光棒に近い直線部は、導光棒から直接出射させる光に対しては陰になる、従って導光棒に近い直線部を短くして、直線部と対向する曲線部を長く形成することが望ましい。従って、溝構造の直線部を短くするためには、直線部は急峻な角度を有していることが望ましく,９０°未満４５°以上を満たし、９０°未満６０°以上が望ましい。
【００６８】
導光棒の光取り出し面から取り出された光は、曲線部で溝構造がない場合と同様に反射板の溝構造の斜面部に直接反射した光は、光拡散板方向に反射する。また、光拡散板からの反射光を線状溝構造３１に入射させて、線状溝構造３１の曲線部で反射させ、前記曲線部で反射した光を略直線状の対辺に反射させ、さらに前記線状溝構造３１の曲線部に再度反射させた後に、線状溝構造３１の近傍の光拡散板に照射することができる。したがって、線状溝構造３１を形成することにより、導光棒４から遠い位置においても、反射板の溝部内で光を反射させ、光を導光棒４の方向に戻すことなく、溝構造の直下の光拡散板上の位置に照射することができる。このため、溝部に入射した光を反射板から光拡散板６に向けて均一に反射させることができ、このような反射が各溝部位置において繰り返されることで、光拡散板６の輝度を均一にすることができる。また、本発明では反射板３にマイクロ発泡樹脂を用いていることから反射板３の表面が柔らかく、容易に前記反射板表面の線状溝構造３１を形成することができる。このように、線状溝構造３１を形成することは、鋸歯模様と対応する溝形状を有する刃物をマイクロ発泡樹脂に対して押圧することで実現できる。尚、前記線状溝構造３１は、一方が曲線状、他方が直線状の鋸歯形状に限らず、両方が直線状の略Ｖ字状の溝形状であっても良い。尚、ここで、溝構造は、連続して繰り返し形成されることが望ましいが、所定間隔を開けて、繰り返して形成することもできる。所定間隔を開けて繰り返して形成しても、同様の効果が得られる。
【００６９】
図４（ｄ）は、鋸歯形状の線状溝構造３２を形成した例を示す図である。線状溝構造３２は、導光棒４の光取り出し面４１に対向する方向の溝部の斜面長さと溝深さが、導光棒４から遠くなるにつれて大きく形成される。導光棒４から受ける光を、導光棒４から遠くなるにつれて前記溝構造の斜面長さと溝深さを徐々に大きく形成することで、溝部で反射する光の強度を高めることができる。その結果、導光棒４から離れた位置における溝部近傍での反射光の反射強度を高め、このため光拡散板６から取り出す光の強度を均一にすることが可能になる。このように線状溝構造３２の斜面長さと溝深さを導光棒からの距離の増加について大きくなる傾斜配置構造とすることで、より均一な照明装置を得ることができる。
【００７０】
図５は、第１の実施形態のＬＥＤ光源６１を導光棒４の両端に配置した間接照明装置の構造断面図である。図５は、図３と同様の構造であるが、図３では、ＬＥＤ光源が枠体の短辺側の一端に配置されるのに対して、図５では導光棒４の両端にＬＥＤ光源６１、６２が配置されている点で異なる。すなわち、対向する短辺側の２つの側面の側端部近傍にそれぞれ形成される側面開口部５３に、２つのＬＥＤ光源６１、６２が、側面の側端部に形成された２つの側面開口部５３の外側にそれぞれ設けられる。このように、導光棒４の両端にＬＥＤ光源６１、６２を配置し、ＬＥＤ光源６１、６２と導光棒４の端部とを光接続させて、ＬＥＤ光源６１、６２からの光を導光棒４の両端面から入射させることにより、光が導光棒４中を導光される時の光強度の低下を相互に対向して配置したＬＥＤ光源６１、６２からの光により補償することができる。ＬＥＤ光源６１、６２の出力と導光棒４の長さを適正化することにより、導光棒４を長手方向の光取り出し面から取り出す光強度を均一にすることができる。
【００７１】
第１の実施形態に用いるＬＥＤ光源６１、６２は、表面発光型の市販のＬＥＤ素子を使用する。導光棒４にＬＥＤ光源６１、６２を光接続する際には、導光棒４の端面にＬＥＤ光源６１、６２を接触させるだけで良い。ここで、第一の発明の間接照明装置は、ＬＥＤ光源の数を少なくするとともに、導光板を使用することなく、間接照明装置全体に光を拡散させることが可能な耐グレア性に優れた室内用間接照明装置を得ることができる。
【００７２】
（第２の実施形態）
本発明の第２の実施形態の間接照明装置では、上部枠体と下部枠体からなる２つの枠体を用いることで、上部枠体と下部枠体を組み合わせるだけで、枠体を組み立てることが可能になる。このため、上面を下面と側面部とに接着などで一体化する必要がない。
【００７３】
図６は、第２の実施形態の枠体が上部枠体と下部枠体とからなる間接照明装置１０１の分解斜視図の一例を示す。尚、本分解斜視図において、上から順に、下部枠体３０２、反射板３、上部枠体３０１を示す。ここで、図６では、上部枠体３０１を下側に、下部枠体３０２を上側に図示しているが、上部枠体３０１、下部枠体３０２なる名称は、取り付け使用時の上下関係を基に命名しており、組み立て時の上限関係と取り付け使用時の上下関係は、逆になる。ここで、導光棒４の上面とは、導光棒４の上部枠体３０１の上面側の（図では下側に描かれている）面を指す。
【００７４】
上部枠体３０１は、略矩形状の上面とこれを囲む側面から構成される。下部枠体３０２は、略矩形状の下面とこれを囲む側面から構成される。
【００７５】
ここで、第２の実施形態の照明装置において、枠体３００は、上部枠体３０１と下部枠体３０２を組み合わせることで構成される。すなわち、上部枠体３０１の外周に下部枠体３０２を配置して、上部枠体３０１と下部枠体３０２の側面同士を組み合わせて閉じた時に、略直方体形状の枠体が形成される。下部枠体３０２の下面には所定位置に下面開口部５１を有し、所定位置に設けた下面開口部５１には、図示しない光拡散板が配置される。前記光拡散板から間接照明装置の光を取り出すことができる。また、下部枠体３０２の短辺側の一方の端部近傍には、ＬＥＤ光源６１と導光棒４の端面とが光接続するために、側面開口部５２が設けられる。ＬＥＤ光源６１は、下部枠体３０２の側面の側端部近傍の側面開口部５２の外側に設けられる。反射板３は、導光棒４の上面を覆い長方形状の反射板の短辺を折り曲げて形成され、枠体上面全体を隠すように枠体短辺方向に前記枠体上面から前記枠体下面に向けて折り曲げられ、さらに、導光棒の長辺の側面と上面を覆うように、反射板同士を接着するなどして一体化して形成することもできる。それぞれの反射板３を上部枠体３０１の長辺側側面や下部枠体の下面に配置し、配置した反射板３をそれぞれの枠体の対応位置に貼り付けても良い。
【００７６】
第２の実施形態において、上部枠体３０１の一方の長辺内側面に沿って内側面に平行に、導光棒４が取り付けられる。導光棒４の端面と対応する上部枠体３０１の側面の一方の端部近傍位置には、側面開口部５２が設けられる。すなわち、導光棒４の端部が上部枠体３０１の短辺側側面の側面開口部５２に対向するよう配置される。なお、上部枠体３０１の短辺側側面の一方の側端部近傍に形成される側面開口部５２と、下部枠体３０２の短辺側側面の一方の側端部近傍に形成される側面開口部５２は、上部枠体３０１と下部枠体３０２を重ねた際に、側面開口部５２の形成位置が重なるように形成される。さらに長方形状の反射板の短辺を折り曲げて形成した反射板３が、導光棒４の上面を覆い枠体上面全体を隠すように枠体短辺方向に前記枠体上面から前記枠体下面に向けて折り曲げられて組み立てられる。ここで、相互に枠体の側面を対向させて下部枠体３０２を、上部枠体３０１に被せて上部枠体３０１の外側に配置し、外側に配置した下部枠体３０２の一方の側端部近傍の側面開口部５２にＬＥＤ光源６１が取り付けられる。また、側面開口部５２を除く、短辺側側面には、反射板３が設けられても良い。導光棒４の光取り出し面とＬＥＤ光源６１と光接続する端面を除く導光棒４の全ての表面を反射板３で覆うことで、導光棒４の輝度を高め、導光棒４から光取り出し効率を高めることができる。上部枠体３０１の枠体上面に折り曲げて形成される反射板３だけでなく、上部枠体３０１の短辺側側面にも反射板３を設けることで、照明装置内部の光反射強度を高め、照明装置の輝度の低下を防止することができる。
【００７７】
このとき、導光棒４の底面と側面を覆う反射板３を設ける方が導光棒４からの光の取り出し効率を高めることができるので望ましい。また、上部枠体３０１と下部枠体３０２の側面同士を組み合わせて、枠体３００を構成するので、枠体側面が２重になることから、枠体３００の剛性を向上させることができる。
【００７８】
第２の実施形態の間接照明装置１０１では、上部枠体３０１と下部枠体３０２からなる２つの枠体を用いることで、上部枠体３０１と下部枠体３０２を組み合わせるだけで、枠体を組み立てることが可能になる。このため、上面を下面と側面部とに接着などで一体化する必要がない。第２の発明の間接照明装置１０１においても、第一の発明の間接照明装置１００と同様に、ＬＥＤ光源６１の数を少なくするとともに、導光板を使用することなく、間接照明装置全体に光を拡散させることが可能な耐グレア性に優れた間接照明装置１０１を得ることができる。
【００７９】
（第３の実施形態）
第３の実施形態の間接照明装置は、上部枠体と下部枠体を別体で構成するのではなく、枠体の一部に両枠体を接続する接続部を設けて、上部枠体を下部枠体に対して開口可能な構造として一体化した間接照明装置である。すなわち、枠体は、開口可能な上面とこれを囲む３つの側面よりなる上部枠体と、下面とこれを囲む４つの側面よりなる下部枠体の２つを一方の長辺側の側面部に設けた接続部により開閉自在に接続一体化したものである。図７は、第３の発明の上部枠体４０１と下部枠体４０２と接続部４０４により構成される開口可能な間接照明装置１０２の斜視図の一例を示す。
【００８０】
第３の実施形態における間接照明装置１０２の構成は、ＬＥＤ光源６１と、上部枠体４０１と下部枠体４０２とを接続部４０４が接続して枠体４００として一体化されている。枠体内部に配置される矩形断面を有する導光棒４と、マイクロ発泡樹脂製の反射板３と、光透過性の光拡散板６とを、備える間接照明装置である。接続部を除く構成は、第２の発明と同様である。
【００８１】
枠体の接続部を折り曲げて下部枠体４０２の側面が上部枠体４０１の側面を囲むように上部枠体４０１と下部枠体４０２を組み合わせて閉じた時には、前記両枠体（上部枠体４０１と下部枠体４０２）の上面と下面が略平行となり、両枠体の３つの側面が相互に重なりあい、接続部４０４を伸ばした場合に、上部枠体４０１と下部枠体４０２を開くことが可能である。
【００８２】
第３の実施形態において、上部枠体４０１と前記下部枠体４０２の短辺側側面の一方の端部近傍に、両枠体の開口部が重なるようにそれぞれ側面開口部５２、５２が形成される。導光棒４は、上部枠体４０１の接続部を有する長辺内側面に沿って前記内側面に平行に配置され、導光棒４の端部が、上部枠体４０１の短辺側側面の開口部に対向するよう配置される。ＬＥＤ光源６１は、下部枠体４０２の側面の側端部近傍の開口部の外側に設けられ、上部枠体４０１と下部枠体４０２の側面の側面開口部５２において前記下部枠体の導光棒の端面と光接続される。尚、導光棒４の上面を覆い、上部枠体４０１に下方に向けて折り曲げて形成される反射板の他に、特に図示しないが、上部枠体４０１と導光棒４の側面との接触面、下部枠体４０２と導光棒４の上面との接触面、側面開口部５２を除く上部枠体４０１の短辺側側面および導光棒４の端面には、照明装置からの光取り出し効率を向上させるため、反射板３を形成することが望ましい。ここで、導光棒４の上面とは、導光棒４の上部枠体４０１の上面側の面を指す。このように、導光棒４の光取り出し面とＬＥＤ光源６１と光接続する端面を除く導光棒４の全ての表面を全て反射板３で覆うことで、導光棒４の輝度を高め、導光棒４から光取り出し効率を高めることができる。
【００８３】
第３の実施形態の枠体４００は、開口可能な上面と側面よりなる上部枠体４０１と、下面と側面よりなる下部枠体４０２の２つの枠体とが一方の長辺側の側面部に設けた接続部４０４により開閉自在に接続されている。また、枠体の接続部４０４を折り曲げて上部枠体４０１と下部枠体４０２を閉じた時には、前記両枠体の３つの側面が相互に重なりあい枠体を構成するので、枠体側面が２重になることから、枠体の剛性を向上させることができる。ここで、第３の発明の間接照明装置においても、第１、第２の発明の間接照明装置と同様に、ＬＥＤ光源の数を少なくするとともに、導光板を使用することなく、間接照明装置全体に光を拡散させることが可能な耐グレア性に優れた室内用間接照明装置を得ることができる。
【００８４】
（第４の実施形態）
第４の実施形態は、間接照明装置からの光取り出し方法である。この発明は、間接照明装置を用いて、前記ＬＥＤ光源からの光を導光棒の端面から導光棒に入射させ、前記導光棒の枠体長辺側側面と対向する側面の反対側の光取り出し面から光を取り出し、前記取り出した光を前記枠体上面から前記枠体下面に向けて折り曲げて形成した反射板に反射させることで、前記光拡散板に入射させて光を取り出すことを特徴とする間接照明装置からの光取出し方法の発明である。
【００８５】
さらに、第１、第２、第３の発明では、いずれも、枠体の側面全周及び枠体下面をマイクロ発泡樹脂シートで形成するか、枠体上面を含む全体をマイクロ発泡樹脂シートで形成することができる。この場合、導光棒の側面と下面が、枠体の長辺側側面と枠体の短辺側側面及び枠体の下面とに接するように、導光棒を設けてもよい。ここで、枠体の側面全周及び枠体下面が、全反射率が９５％以上、拡散反射率９５％以上であるマイクロ発泡樹脂シートで形成されているので、枠体の内部の光反射率を高めることができる。これにより、導光棒が配置される枠体の内部空間を、枠体の開口部を除き、光反射特性に優れるマイクロ発泡樹脂シートで全て覆うことができることから、枠体内面に反射板を設ける必要がない。また、前記枠体長辺側側面と、前記枠体短辺側側面及び枠体下面に導光棒を接触させるように配置すれば、前記枠体の側面と下面は、光反射性に優れるマイクロ発泡樹脂シートで形成されていることから、導光棒からの漏光を防止し、導光棒からの光取出し効率を高めることができる。
【００８６】
尚、いずれの発明においても、導光棒の上面を覆い、さらに枠体の上面から下面に向けて短辺方向に折り曲げて形成される、本特許の基本的な構成である反射板は、ＬＥＤ光源からの光を効率よく光拡散板に反射させて取り出すために設けられることが望ましい。
【００８７】
ここで、いずれの発明においても、前記反射板の導光棒の表面を覆う部分と枠体の上面から下面に向けて短辺方向に折り曲げて形成される部分は一体で形成されることが望ましいが、別体で形成されても良い。すなわち、反射板とは別の反射板を、少なくとも枠体の長辺側の内側面と枠体の下面と、導光棒の側面と下面とに接するように設けてもよい。また、枠体上面側には、折り曲げて形成される反射板が設けられるため、枠体上面は、前記マイクロ発泡樹脂シートで形成されても、その他の樹脂材料で形成されても良い。ここで、枠体上面をマイクロ発泡樹脂シートで形成する場合は、枠体上面で導光棒の上面を覆えば、導光棒の上面を覆う反射板を設ける必要がないため、上記反射板は、導光棒の光取り出し面の上端部から枠体の導光棒が配置されていない側の下端部にかけて、折り曲げて配置されれば良いことは言うまでもない。
【００８８】
第４の実施形態の間接照明装置からの光取出し方法は、第１の実施形態の説明図である図３により説明することが可能である。ここで、ＬＥＤ光源６１から放出された光は、枠体の一方の短辺側端部に配置された導光棒４の端面４３に入射して導光棒４によって導光され、導光棒４の枠体長辺側側面と対向する側面と反対側の光取り出し面４１から、間接照明装置の内部に取り出すことができる。光取り出し面４１から取り出された光は、枠体２００内の空間に放出され、前記枠体の上面２０１から枠体の下面２０４に向けて短辺方向に折り曲げて形成された反射板３により反射される。反射板３により、反射された光は、光拡散板６に入射し、光拡散板６を透過して間接照明装置１００から外部に取り出すことができる。
【００８９】
第４の実施形態の間接照明装置からの光の取り出し方法を用いれば、点状の光源から、所定幅の線状の導光棒４に光を導光展開して、さらにその線状の導光棒４から面状の間接照明装置内の空間に取り出した光を、枠体上部に折り曲げて形成した反射板３に反射させて、反射光の強度の間接照明装置内での均一化を図った後、光拡散板６から光を取り出すことができる。その際に、導光棒４の光取り出し面とＬＥＤ光源６１と光接続する端面４３を除く全ての表面を、高光反射率を有するマイクロ発泡樹脂シートで覆うことで、導光棒４の輝度を高め、導光棒４の光取り出し面から取り出す光取り出し効率を高めることができる。その結果、本発明の間接照明装置を用いれば、特に、拡散反射率の高いマイクロ発泡樹脂製の反射板を枠体内部に設けるので、これと対向する位置に設けた光拡散板により、その一部を拡散反射させることで、照明装置内で拡散反射を繰り返し、導光棒から取り出した光を均一に面状に広げて、照度の高い光を拡散板から下方に取り出すことができる。そのため、使用するＬＥＤ光源６１の数が少なく、点光源を用いても光源が直接見えることの無く耐グレア性に優れ、照明器具の発光面の明るさのばらつきが少ない、面状に発光する車載用間接照明装置に適した室内用間接照明装置が得られる。また、枠体をマイクロ発光樹脂で形成すれば、枠体が反射板を兼ねることから、簡易な構造で同様の効果が得られる。
【００９０】
また、第４の実施形態の間接照明装置からの光の取り出し方法は、前記導光棒の光取り出し面とＬＥＤ光源と光接続する開口部を除く全ての面がマイクロ発泡樹脂製の反射板で覆われているものである。このように、前記導光棒の光取り出し面とＬＥＤ光源と光接続する面を除く全ての面がマイクロ発泡樹脂製の反射板で被覆されていれば、導光棒から光を効率よく取り出すことができる。      
【００９１】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００９２】
本発明の第２、第３の実施形態の発明において、具体的には、上部枠体を下部枠体の外側に配置して両枠体を閉じた場合などの配置関係の照明装置の構成も含むものとする。上部枠体と下部枠体の側面の内外の配置関係などは、容易に変更することができる。また、第３の発明における接続部の配置などは容易に変更することが可能であるが、これらの発明の構成の変更は、当然本発明の範囲に含まれるものと解する。
【符号の説明】
【００９３】
１００、１０１、１０２………間接照明装置
２００、３００、４００………枠体
２０１………上面
２０４………下面
２０３………側面
３０１、４０１、５０１………上部枠体
３０２、４０２、５０２………下部枠体
４０４………接続部
３………反射板
３１………線状溝構造
３２………線状溝構造
４………導光棒
４１………光取り出し面
４２………下面
４３………端面
４５………導光板
４６………プリズム状の微細突起構造
５１………下面開口部
５３、５２………側面開口部
６………光拡散板
６１、６２、６４………ＬＥＤ光源
６５………基板
【図１】
2017016855.tif 000003
【図２】
2017016855.tif 000004
【図３】
2017016855.tif 000005
【図４】
2017016855.tif 000006
【図５】
2017016855.tif 000007
【図６】
2017016855.tif 000008
【図７】
2017016855.tif 000009
【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
ＬＥＤ光源と、
長辺と短辺からなる上面および下面と、前記上面および前記下面を接続する側面と、を具備する略直方体の枠体と、
前記枠体の内部に配置される矩形断面を有する導光棒と、
マイクロ発泡樹脂製の反射板と、
光透過性の光拡散板と、を備える間接照明装置において、
前記枠体は、前記下面と、短辺側の少なくとも一方の前記側面の側端部近傍とに開口部を有し、
前記導光棒は、前記枠体の一方の長辺側の内側面に沿って、前記枠体の長辺側の内側面に平行に、前記導光棒の端部が短辺側側面の前記開口部に対向するよう配置され、
長方形状の前記反射板は、長辺方向には直線状で、前記導光棒の上面を覆い、短辺方向に前記枠体の前記上面から前記枠体の前記下面に向けて折り曲げて形成されたもので、
前記光拡散板は前記枠体の前記下面の前記開口部に設けられ、
前記ＬＥＤ光源が、前記枠体の前記側面の側端部の前記開口部の外側に設けられ、
前記枠体の前記側面の側端部近傍の前記開口部において前記ＬＥＤ光源と前記導光棒の端面が光接続されることを特徴とする間接照明装置。
【請求項２】
前記導光棒の、前記枠体の長辺側側面との対向面は、光を取り出すために粗面化されているか、あるいはプリズム状の微細突起構造が形成されていることを特徴とする請求項１に記載の間接照明装置。
【請求項３】
前記反射板の一方の長辺側端部近傍を前記枠体の前記上面に接触させ、前記反射板の長辺側の他方の端部が前記枠体の前記下面に接するように折り曲げて形成されていることを特徴する請求項１または請求項２に記載の間接照明装置。
【請求項４】
前記導光棒の断面形状は、前記導光棒の断面下側の辺が前記導光棒の断面上側の辺より長い台形状で、前記導光棒の光取り出し面と前記導光棒の下面とのなす角が７０°以上９０°未満の傾きを有するように形成されていることを特徴とする請求項１から請求項３のいずれかに記載の間接照明装置。
【請求項５】
前記反射板とは別の反射板が、少なくとも、前記枠体の長辺側の内側面と前記枠体の前記下面と、前記導光棒の側面と下面とに接するように設けられることを特徴とする請求項１から請求項４のいずれかに記載の間接照明装置。
【請求項６】
前記導光棒の下面に、前記枠体の長辺に沿って設けられる前記別の反射板は、前記導光棒の矩形断面の下面を形成する辺より、短辺方向の長さが長く形成されていることを特徴とする請求項５記載の間接照明装置。
【請求項７】
前記枠体の前記上面に設けられる前記反射板は、マイクロ発泡樹脂シートの表面に線状溝構造が形成されたものであることを特徴とする請求項１から請求項６のいずれかに記載の間接照明装置。
【請求項８】
対向する短辺側の２つの前記側面の側端部近傍にそれぞれ前記開口部を有し、２つの前記ＬＥＤ光源を前記側面の側端部に形成された２つの前記開口部の外側にそれぞれ設けて、前記ＬＥＤ光源と前記導光棒の端部とを光接続させて、前記ＬＥＤ光源からの光を前記導光棒の両端面から入射させることを特徴とする請求項１記載の間接照明装置。
【請求項９】
前記導光棒はガラスまたはアクリル樹脂製で、前記光拡散板がガラスまたは樹脂製であることを特徴とする請求項１から請求項８のいずれかに記載の間接照明装置。
【請求項１０】
前記反射板は、ＰＥＴ樹脂、ＰＣ樹脂、ＰＭＭＡ樹脂のいずれかのマイクロ発泡樹脂製の反射板で、光反射率として波長４５０ｎｍから６５０ｎｍの可視光領域における硫酸バリウム基準板の反射率を１００％とした時の全反射率が９５％以上、拡散反射率が９５％以上であることを特徴とする請求項１から請求項９のいずれかに記載の間接照明装置。
【請求項１１】
ＬＥＤ光源と、
上部枠体と下部枠体を有する枠体と、
前記枠体の内部に配置される矩形断面を有する導光棒と、
マイクロ発泡樹脂製の反射板と、
光透過性の光拡散板と、を備える間接照明装置において、
前記上部枠体は、略矩形状の上面とこれを囲む側面から構成され、
前記下部枠体は、略矩形状の下面とこれを囲む側面から構成されるもので、
前記下部枠体の前記下面には開口部が形成され、
前記上部枠体の外周に前記下部枠体を配置して、
前記上部枠体と前記下部枠体の側面同士を組み合わせて閉じた時に、略直方体形状の前記枠体が形成され、
前記上部枠体と前記下部枠体の短辺側側面の一方の側端部近傍に、前記上部枠体と前記下部枠体の開口部の形成位置が重なるように、前記上部枠体と前記下部枠体にそれぞれ開口部を形成し、
前記導光棒は、前記上部枠体の一方の長辺内側面に沿って内側面に平行に、前記導光棒の端部が前記上部枠体の短辺側側面の前記開口部に対向するよう配置され、
マイクロ発泡樹脂製の長方形状の前記反射板は、前記導光棒の上面を覆い、前記枠体の短辺方向に前記枠体の上面から前記枠体の前記下面に向けて折り曲げて設けられたもので、
前記光拡散板は前記枠体の前記下面の開口部に設けられ、
前記ＬＥＤ光源が、前記下部枠体の側面の側端部近傍の開口部の外側に設けられ、
前記枠体の側面の開口部において、前記ＬＥＤ光源と前記導光棒の端面とが光接続されることを特徴とする間接照明装置。
【請求項１２】
前記枠体は、開口可能な上面とこれを囲む３つの側面よりなる前記上部枠体と、下面とこれを囲む４つの側面よりなる前記下部枠体の２つを一方の長辺側の側面部に設けた接続部により開閉自在に接続一体化したもので、
前記接続部を折り曲げて前記下部枠体の側面が前記上部枠体の側面を囲むように前記上部枠体と前記下部枠体を組み合わせて閉じた時には、前記上部枠体と前記下部枠体の上面と下面が略平行で、前記上部枠体と前記下部枠体の３つの側面が相互に重なりあい、前記接続部を伸ばした場合に、前記上部枠体と前記下部枠体を開くことが可能で、
前記上部枠体と前記下部枠体の短辺側側面の一方の側端部近傍には、前記上部枠体と前記下部枠体の開口部が重なるように前記上部枠体と前記下部枠体にそれぞれ開口部を形成し、
前記導光棒は、前記上部枠体の前記接続部を有する長辺内側面に沿って内側面に平行に、前記導光棒の端部が前記上部枠体の短辺側側面の開口部に対向するよう配置され、
前記ＬＥＤ光源が、前記下部枠体の側面の側端部近傍の開口部の外側に設けられ、
前記上部枠体と前記下部枠体の側面の開口部において前記ＬＥＤ光源と前記導光棒の端面とが光接続されることを特徴とする請求項１１記載の間接照明装置。
【請求項１３】
少なくとも前記枠体の側面全周及び前記枠体の下面が、全反射率が９５％以上、拡散反射率が９５％以上であるマイクロ発泡樹脂シートから形成されることを特徴とする請求項１、請求項９、請求項１１、または請求項１２のいずれかに記載の間接照明装置。
【請求項１４】
前記枠体の長辺側側面と、前記枠体の短辺側側面及び枠体の下面に前記導光棒を接触させるように配置することを特徴とする請求項１３に記載の間接照明装置。
【請求項１５】
請求項１から請求項１４のいずれかに記載の間接照明装置を用いて、前記ＬＥＤ光源からの光を前記導光棒の端面から入射させ、前記導光棒の枠体長辺側側面と対向する側面と反対側の光取り出し面から光を取り出し、取り出した光を前記枠体の前記上面から前記枠体の前記下面に向けて折り曲げて形成した前記反射板に反射させることで、光を前記光拡散板に入射させて光を取り出すことを特徴とする間接照明装置からの光取出し方法。
【請求項１６】
前記枠体の前記導光棒の光取り出し面と、前記ＬＥＤ光源と前記導光棒とが光接続する前記開口部を除く全ての面がマイクロ発泡樹脂製の反射板で覆われていることを特徴とする請求項１５記載の間接照明装置からの光取出し方法。